【手続補正書】
【提出日】平成18年12月5日(2006.12.5)
【手続補正１】
【補正対象書類名】明細書
【補正対象項目名】特許請求の範囲
【補正方法】変更
【補正の内容】
【特許請求の範囲】
【請求項１】  肛門直腸障害の処置のため、およびそれに伴う疼痛を制御するための組成物であって、該組成物が、以下：
ホスホジエステラーゼＩＩ型インヒビター、ホスホジエステラーゼＩＶ型インヒビター、ホスホジエステラーゼＶ型インヒビター、非特異的ホスホジエステラーゼインヒビター、スーパーオキシドスカベンジャー、β−アドレナリン作動性アゴニスト、ｃＡＭＰ依存性プロテインキナーゼアクチベーター、α1−アドレナリン作動性アンタゴニスト、エストロゲン、ＡＴＰ感受性Ｋ+チャネルアクチベーターおよび平滑筋弛緩剤、
からなる群より選択される第２の薬剤を、薬学的に受容可能なキャリアと混合して、ＮＯドナーを含む、組成物。
【請求項２】  前記ＮＯドナーが、以下：
ニトログリセリン、Ｌ−アルギニン、ＳＮＡＰ、ＧＳＮＯおよびＳＩＮ−１、
からなる群より選択され、そして前記第２の薬剤が、以下：
スーパーオキシドジスムターゼおよび化学的スーパーオキシドジスムターゼ模倣物、
からなる群より選択される、スーパーオキシドスカベンジャーである、請求項１に記載の組成物。
【請求項３】  前記キャリアが、局所適用のために処方される、請求項１に記載の組成物。
【請求項４】  前記第２の薬剤が、以下：
ホスホジエステラーゼＩＩ型インヒビター、ホスホジエステラーゼＩＶ型インヒビター、ホスホジエステラーゼＶ型インヒビターおよび非特異的ホスホジエステラーゼインヒビター、
からなる群より選択される、請求項１に記載の組成物。
【請求項５】  前記第２の薬剤が、β−アドレナリン作動性アゴニストからなる群より選択される、請求項１に記載の組成物。
【請求項６】  前記β−アドレナリン作動性アゴニストが、以下：
β2−アドレナリン作動性アゴニストおよびβ3−アドレナリン作動性アゴニスト、
からなる群より選択される、請求項５に記載の組成物。
【請求項７】  前記第２の薬剤が、ＡＴＰ感受性Ｋ+チャネルアクチベーターからなる群より選択される、請求項１に記載の組成物。
【請求項８】  肛門直腸障害の処置のため、およびそれに伴う疼痛を制御するための組成物であって、該組成物が、ホスホジエステラーゼインヒビターおよび薬学的に受容可能なキャリアを含む、組成物。
【請求項９】  前記ホスホジエステラーゼインヒビターが、以下：
ホスホジエステラーゼＩＩ型インヒビター、ホスホジエステラーゼＩＶ型インヒビター、ホスホジエステラーゼＶ型インヒビターおよび非特異的ホスホジエステラーゼインヒビター、
からなる群より選択される、請求項８に記載の組成物。
【請求項１０】  請求項９に記載の組成物であって、該組成物が、以下：
β−アドレナリン作動性アゴニスト、ｃＡＭＰ依存性プロテインキナーゼアクチベーター、α1−アドレナリン作動性アンタゴニスト、Ｌ型Ｃａ2+チャネルブロッカー、エストロゲン、ＡＴＰ感受性Ｋ+チャネルアクチベーターおよび平滑筋弛緩剤、
からなる群より選択される薬剤をさらに含む、組成物。
【請求項１１】  肛門直腸障害の処置のため、およびそれに伴う疼痛を制御するための組成物であって、該組成物が、β−アドレナリン作動性アゴニストおよび薬学的に受容可能なキャリアを含む、組成物。
【請求項１２】  前記β−アドレナリン作動性アゴニストが、以下：
β2レセプター、β3レセプターおよびそれらの組み合わせ、
からなる群より選択されるレセプターアイソフォームに特異的である、請求項１１に記載の組成物。
【請求項１３】  前記β−アドレナリン作動性アゴニストが、イソプロテレノールである、請求項１１に記載の組成物。
【請求項１４】  請求項１１に記載の組成物であって、該組成物が、以下：ｃＡＭＰ加水分解性ＰＤＥインヒビター、非特異的ＰＤＥインヒビター、α1−アドレナリン作動性アンタゴニスト、エストロゲン、Ｌ型Ｃａ2+チャネルブロッカー、ＡＴＰ感受性Ｋ+チャネルアクチベーターおよび平滑筋弛緩剤、
からなる群より選択される薬剤をさらに含む、組成物。
【請求項１５】  肛門直腸障害の処置のため、およびそれに伴う疼痛を制御するための組成物であって、該組成物が、以下：
ＡＴＰ感受性Ｋ+チャネルアクチベーターおよび薬学的に受容可能なキャリア、を含む、組成物。
【請求項１６】  請求項１５に記載の組成物であって、該組成物が、以下：ｃＡＭＰ依存性プロテインキナーゼアクチベーター、エストロゲン、α1−アドレナリン作動性アンタゴニスト、Ｌ型Ｃａ2+チャネルブロッカーおよび平滑筋弛緩剤、
からなる群より選択される薬剤をさらに含む、組成物。
【請求項１７】  肛門直腸障害の処置のため、およびそれに伴う疼痛を制御するための組成物であって、該組成物が、以下：
α1−アドレナリン作動性アンタゴニストおよび薬学的に受容可能なキャリア、を含む、組成物。
【請求項１８】  前記組成物が、以下：
ｃＡＭＰ加水分解性ホスホジエステラーゼインヒビター、エストロゲンおよび平滑筋弛緩剤、
からなる群より選択される薬剤をさらに含む、請求項１７に記載の組成物。
【請求項１９】  前記ｃＡＭＰ加水分解性ホスホジエステラーゼインヒビターが、ホスホジエステラーゼＩＶ型インヒビターである、請求項１７に記載の組成物。
【請求項２０】  肛門直腸障害の処置のため、およびそれに伴う疼痛を制御するための組成物であって、該組成物が、以下：
ｃＡＭＰ依存性プロテインキナーゼアクチベーターおよびＬ型Ｃａ2+チャネルブロッカー、
を含む、組成物。
【請求項２１】  肛門直腸障害の処置のため、およびそれに伴う疼痛を制御するための組成物であって、該組成物が、以下：
ｃＧＭＰ依存性プロテインキナーゼアクチベーターおよび薬学的に受容可能なキャリア、
を含む、組成物。
【請求項２２】  肛門直腸障害の処置のため、およびそれに伴う疼痛を制御するための組成物であって、該組成物が、必要に応じて、平滑筋弛緩剤と混合して、非特異的環状ヌクレオチド依存性プロテインキナーゼアクチベーターを含む、組成物。
【請求項２３】  肛門直腸障害の処置のため、およびそれに伴う疼痛を制御するための組成物であって、該組成物が、治療的に有効な量のＮＯドナーを含有し、そして該組成物が、以下：
ホスホジエステラーゼＩＩ型インヒビター、ホスホジエステラーゼＩＶ型インヒビター、ホスホジエステラーゼＶ型インヒビター、非特異的ホスホジエステラーゼインヒビター、スーパーオキシドスカベンジャー、β−アドレナリン作動性アゴニスト、ｃＡＭＰ依存性プロテインキナーゼアクチベーター、α1−アドレナリン作動性アンタゴニスト、エストロゲン、Ｌ型Ｃａ2+チャネルブロッカー、ＡＴＰ感受性Ｋ+チャネルアクチベーターおよび平滑筋弛緩剤、
からなる群より選択される第２の薬剤と組み合わせた投与に適切である、方法。
【請求項２４】  前記ＮＯドナーおよび前記第２の薬剤が、組み合わせて投与される、請求項２３に記載の組成物。
【請求項２５】  前記第２の薬剤が、前記ＮＯドナーを含有する組成物の投与の前に投与されるために適切である、請求項２３に記載の組成物。
【請求項２６】  前記肛門直腸障害が、裂肛である、請求項２３に記載の組成物。
【請求項２７】  肛門直腸障害の処置のため、およびそれに伴う疼痛を制御するための組成物であって、該組成物が、ホスホジエステラーゼインヒビターを含む治療的に有効な量の組成物を含有する、組成物。
【請求項２８】  請求項２７に記載の組成物であって、該組成物が、以下：
β−アドレナリン作動性アゴニスト、ｃＡＭＰ依存性プロテインキナーゼアクチベーター、α1−アドレナリン作動性アンタゴニスト、エストロゲン、Ｌ型Ｃａ2+チャネルブロッカー、ＡＴＰ感受性Ｋ+チャネルアクチベーターおよび平滑筋弛緩剤、
からなる群より選択される、第２の薬剤をさらに含有する、組成物。
【請求項２９】  肛門直腸障害の処置のため、およびそれに伴う疼痛を制御するための組成物であって、該組成物が、治療的に有効な量のβ−アドレナリン作動性アゴニストを含有する、組成物。
【請求項３０】  請求項２９に記載の組成物であって、該組成物が、以下：
ｃＡＭＰ依存性プロテインキナーゼアクチベーター、α1−アドレナリン作動性アンタゴニスト、エストロゲン、Ｌ型Ｃａ2+チャネルブロッカー、ＡＴＰ感受性Ｋ+チャネルアクチベーターおよび平滑筋弛緩剤、
からなる群より選択される、第２の薬剤をさらに含有する、組成物。
【請求項３１】  肛門直腸障害の処置のため、およびそれに伴う疼痛を制御するための組成物であって、該組成物が、治療的に有効な量の、以下：
ＡＴＰ感受性カリウムチャネルオープナーおよびｃＡＭＰ媒介性肛門括約筋弛緩を促進する薬剤、
を含有する、組成物。
【請求項３２】  肛門直腸障害の処置のため、およびそれに伴う疼痛を制御するための組成物であって、該組成物が、治療的に有効な量のカリウムチャネルオープナーを含有し、ここで、該治療的に有効な量が、該被験体の肛門括約筋の緊張過度を減少させる、組成物。
【請求項３３】  肛門直腸障害の処置のため、およびそれに伴う疼痛を制御するための組成物であって、該組成物が、治療的に有効な量の、以下：
薬学的に受容可能なキャリア、および該被験体の肛門括約筋の組織中で、環状グアニジン一リン酸または環状アデノシン一リン酸のレベルを増加させる薬剤、
を含有し、それによって、該被験体の該肛門括約筋の過度の緊張過度を減少させる、組成物。